(57)【特許請求の範囲】
【請求項１】
カードコネクタのハウジングのカード挿入空間に挿入されるカードの挿入・排出方向に往復スライドするスライダーと、
前記スライダーを前記カードの排出方向に付勢させる復帰バネと、
前記スライダーを前記カードと共に押し込むことにより、その所定の押し込み位置で前記スライダーを戻り止めし、再度の押し込み動作によって戻り止めを解除するためのピンガイド及び該ピンガイドに沿って移動するガイドピンとからなるプッシュオン・プッシュオフ機構とを備え、
前記スライダーの前記カード挿入空間側の縁部と前記カードのスライダー側縁とに、その相互間において凹凸の嵌め合い構造によって該カードと係合する係合凹凸部が備えられ、
前記スライダーは、その押込動作前の待機位置で、前記カード挿抜によって押されることにより、前記係合凹凸部が外れる方向に回動自在であり、且つ前記カードとともに押し込まれた位置では前記回動が不能となって前記係合凹凸部が外れ止めされるようにし、
前記プッシュオン・プッシュオフ機構を構成するガイドピンを、前記スライダーの出入動作方向と交差し、前記係合凹凸部の外れ止め方向とは逆の方向に付勢するバネアームの先端に一体に備え、該バネアームを前記ガイドピンに対するプッシュオン・プッシュオフ機構を構成するための付勢手段と前記スライダーの回動動作復帰側への付勢手段とに兼用させたことを特徴としてなるプッシュロック式カードコネクタ。
【請求項２】
前記ハウジングの底面には、前記スライダーをガイドするスライダーガイド溝が備えられ、前記スライダーの底部には、前記スライダーガイド溝に嵌まり合ってガイドされるガイド部が備えられ、前記スライダーガイド溝は、互いに平行な一対の立ち上り壁にて構成され、前記スライダーの前記待機位置に対応する部分に一方の前記ガイド突条が切り欠かれた形状の欠落部を設けることにより遊び空間が形成され、該スライダーが前記待機位置にあるときは、前記遊び空間側にスライダーが移動可能として前記カード挿抜によって押されることによる係合凹凸部が外れる方向の回動がなされるようにし、該待機位置から所定長さ押し込まれた位置では、該スライダー底部のガイド部が前記ガイド溝に規制されて横方向の移動が阻止されることにより回動不能となるようにしてなる請求項１に記載のプッシュロック式メモリーカードコネクタ。
【請求項３】
前記バネアームは、つる巻きバネの一端側を延長した線状バネ部をもって構成され、該つる巻きバネをその一端側の線状バネ部を除いた部分を前記スライダーに固定し、プッシュオン・プッシュオフ機構を構成するピンガイドを前記ハウジングの底面上に備えてなる請求項１又は２のいずれかに記載のプッシュロック式メモリーカードコネクタ。
【請求項４】
前記プッシュオン・プッシュオフ機構は、前記ハウジング又はスライダーの何れか一方側にピンガイドを、他方側にガイドピンを備え、
前記バネアームは、前記ガイドピンの側面によって前記ピンガイドを構成している立上り壁面からなる摺接面を押圧する方向に付勢するように設置し、
前記ピンガイドには、前記ガイドピンが、前記スライダーの押し込み方向の動作時に摺動する往路ガイド部と、同復帰動作時に摺動する復路ガイド部とが備えられ、
前記往路ガイド部と復路ガイド部との一方の端部間には、バネアームによる付勢力に抗して一方側から他方側にガイドピンが通過した後は逆方向には戻らない逆戻り防止機構を備えることによって前記スライダーの押し込み・復帰動作によってガイドピンがピンガイドに沿って一方向に循環するようにし、
該往路ガイド部の途中には、前記復帰バネの付勢力に抗してガイドピンが係止されるスライダー戻り止め用のガイドピン係合部を備えている請求項１〜３の何れか１に記載のプッシュロック式メモリーカードコネクタ。
【請求項５】
前記逆戻り防止機構は、前記往路ガイド部と復路ガイド部との境界部分において、前記ピンガイド底面に前記ガイドピンの進行方向側を低くした逆戻り防止用の段差と、前記ガイドピンを該段差位置で、その先端が該段差の高い側より低い高さに付勢する下向き付勢手段をもって構成している請求項４に記載のプッシュロック式メモリーカードコネクタ。
【請求項６】
前記逆戻り防止機構は、前記ガイドピンの進行方向側にのみ開くフラップ弁式の扉をもって構成している請求項４に記載のプッシュロック式メモリーカードコネクタ。
【発明の詳細な説明】
【技術分野】
【０００１】
本発明は、プッシュオン・プッシュオフ機構（別名「オルタネイト動作機構」）を用い、ハウジングのメモリーカード挿入空間にメモリーカードを差し込んで押し込むことにより所定の押し込み位置で戻り止めされ、再度の押し込み動作によって戻り止めが解除されて押し戻されるプッシュロック式メモリーカードコネクタに関する。
【背景技術】
【０００２】
従来プッシュロック式メモリーカードコネクタは、ハウジング内に、メモリーカードの挿入・排出方向に往復スライドするスライダーと、そのスライダーをメモリーカードの排出方向に付勢させる復帰バネと、スライダーをメモリーカードと共に押し込むことにより、その所定の押し込み位置でスライダーを戻り止めし、再度の押し込み動作によって戻り止めを解除するプッシュオン・プッシュオフ機構を備え、メモリーカードを差し込んでスライダーを押し込むことにより、該スライダーが所定の押込位置で戻り止めされるとともに、メモリーカードは、スライダーの押込位置で該スライダー係止されて抜け止めされ、メモリーカードを再度の押し込むことによってスライダーの戻し止めが解除され、復帰バネによってスライダーとともにメモリーカードが押し戻されるとともに、メモリーカードは、スライダーに対する係合が解除されて抜き取り可能となるようにした構造のものが知られている（例えば特許文献１、図４、特許文献２、図６）。
【０００３】
また、この種のメモリーカードコネクタにおけるプッシュオン・プッシュオフ機構には、所謂ハートカム機構が使用されている。
【０００４】
この種の従来のプッシュロック式メモリーカードコネクタでは、図１０〜図１２に示すように、モールド成型されたハウジング本体６１と、シールド兼用の金属カバー６２とによってハウジング６３を形成させ、そのハウジング内に、メモリーカード挿入空間６４がその開口部をハウジングの前端面に開口させて形成されている。
【０００５】
ハウジング６３内には、メモリーカード挿入空間６４の一方の側部に位置させてスライダー収容部が設けられ、ここにスライダー６６がメモリーカード挿抜方向に移動可能に収容されている。
【０００６】
スライダー６６は、その押し込み方向の先端部側面に、メモリーカード挿入空間６４に挿入させるメモリーカードＡの先端を受けるメモリーカードストッパー部６６ａが突設され、またスライダー６６押し込み方向の先端面には該スライダー６６を押し戻す復帰バネの先端を受ける復帰バネ先端受部６６ｂが設けられている。この復帰バネ先端受部６６ｂとスライダー収容部の最奥部の立上り部に形成した復帰バネ受部６７との間にコイルスプリングからなる復帰バネ１４が所望の蓄勢状態で介在されている。
【０００７】
尚、この従来例では、スライダー６６のストッパー部６６ａ側の側面に、ストッパー部６６ａとは所定の間隔を隔ててメモリーカードロック用爪６９が突設されており、この爪６９によって、メモリーカードＡの挿入初期状態では該メモリーカードを仮止め、即ち引き抜き可能なハーフロック状態となし、押し込み位置では抜け止め、即ちロック状態とするようになっている。
【０００８】
スライダー６６の上面には、ガイド溝７０が設けられている。このガイド溝７０と後述するガイドピン７１とによってハートカム機構が構成されている。
【０００９】
ガイド溝７０は、ハート形をしたハートカム７２の両側面に、往路ガイド部７０Ａと復路ガイド部７０Ｂとが設けられ、これら両ガイド部７０Ａ，７０Ｂの両端部は相互に繋がった循環構造になっている。
【００１０】
ガイドピン７１は、金属線材を折り曲げて形成されており、直線状の回動アーム７１ａの先端側にこれを９０度折り曲げた形状に溝内摺動部７１ｂが一体に備えられ、回動アーム７１ａの基端部にはこれを９０度折り曲げた形状に枢軸部７１ｃが一体に備えられた構造となっており、この枢軸部７１ｃをハウジング本体６１の軸受け穴に挿入させ、溝内摺動部７１ｂをガイド溝７０内に挿入させている。
【００１１】
このガイド溝７０とガイドピン７１とによって構成されるハートカム機構は、スライダー６６を初期状態から所定の深さまで押し込みその押し込みを放した時にガイドピン７１の溝内摺動部７１ｂがイド溝７０のハートカム７２に係合されてスライダー６６の戻り止めされ、再度押し込むことによって前記係合が解除され、その押し込みを放すことによってガイドピン７１の溝内摺動部７１ｂのハートカム７２部分に対する係合が外れ、スライダー６６が復帰バネ１４によって初期状態に戻されるようになっている。
【００１２】
このガイドピン７１がガイド溝７０内をスライダー６６の押し込み動作の繰り返しによって循環する機構は、
また前記メモリーカードロック用爪６９としては、図には詳示してないが、スライダー６６に一端が固定された片持式のスプリングの先端に固定されて常時は突出状態にあるように付勢され、スライダー６６がメモリーカード挿入されていない状態のときには、爪６９がスライダー６６内への押込が可能な状態となり、スライダー６６がカードとともに押し込み方向に動作されることによって、スライダー６６内への押込動作を不能とするようにしている（例えば特許文献１−図４、特許文献２−図１、図４、特許文献３−図５、図６）。
【特許文献１】特開２００３−３１７８６１号公報
【特許文献１】特開２００５−２９４２０３号公報
【特許文献１】特開２００１−１１８６３３号公報
【発明の開示】
【発明が解決しようとする課題】
【００１３】
上述した従来のプッシュロック式メモリーカードコネクタは、ハートカム、ガイドピン及びガイドピンを付勢するためのスプリングからなるプッシュオン・プッシュオフ機構の他に、カードの挿入初期状態時に、これを引き抜き可能に仮止めしたハーフロック状態と、このハーフロック状態からカードとともにスライダーが押し込まれることによって、該カードのスライダーに対する抜き取り動作が不能となるロック状態とを構成するためのハーフロック・ロック機構を構成する部材が必要であった。
【００１４】
このため、部品点数が多くなり、しかも小型化の要請から製造、組立てに技術を要し、コスト高となるという問題があった。
【００１５】
従来のハートカム機構においては、ガイドピン７１がガイド溝７０内をスライダー６６の押し込み動作の繰り返しによって循環するための機構として、ガイド溝７０の内底面に段差を多数形成して、このガイド溝７０の内底面にガイドピン７１の先端が常時圧接されるようにスプリングによって付勢しておくことにより、ガイドピン７１が逆戻りせずに一方向にのみ循環するようにしているものであるが、近年のプッシュロック式メモリーカードコネクタの著しい小型化、薄型化によりハートカム機構も小型化せざるを得ず、このためピンガイド内底面の段差を大きく取ることができなくなっている。
【００１６】
このため、ガイドピン７１の先端が常時ガイド溝内底面を摺接することによる磨耗によって、段差が早期に削り取られてしまうこととなり、ガイドピンの逆戻り防止降下が早期に損なわれるという問題があった。
【００１７】
本発明はこのような従来の問題に鑑み、プッシュオン・プッシュオフ機構及びカードのロック・ハーフロック機構を含めて全体の部品点数を少なくし、また、ガイドピンの逆戻り防止効果が失われず、プッシュオン・プッシュオフ機構の長寿命化を図ることができるプッシュロック式カードコネクタを提供することにある。
【課題を解決するための手段】
【００１８】
上述の如き従来の問題を解決し、所期の目的を達成するための請求項１に記載のプッシュロック式カードコネクタの特徴は、カードコネクタのハウジングのカード挿入空間に挿入されるカードの挿入・排出方向に往復スライドするスライダーと、前記スライダーを前記カードの排出方向に付勢させる復帰バネと、前記スライダーを前記カードと共に押し込むことにより、その所定の押し込み位置で前記スライダーを戻り止めし、再度の押し込み動作によって戻り止めを解除するためのピンガイド及び該ピンガイド内を摺動するガイドピンとからなるプッシュオン・プッシュオフ機構とを備え、前記スライダーの前記カード挿入空間側の縁部と前記カードのスライダー側縁とに、その相互間において凹凸の嵌め合い構造によって該カードと係合する係合凹凸部が備えられ、前記スライダーは、その押込動作前の待機位置で、前記カード挿抜によって押されることにより、前記係合凹凸部が外れる方向に回動自在であり、且つ前記カードとともに押し込まれた位置では前記回動が不能となって前記係合凹凸部が外れ止めされるようにし、前記プッシュオン・プッシュオフ機構を構成するガイドピンを、前記スライダーの出入動作方向と交差し、前記係合凹凸部の外れ止め方向とは逆の方向に付勢するバネアームの先端に一体に備え、該バネアームを前記ガイドピンに対するプッシュオン・プッシュオフ機構を構成するための付勢手段と前記スライダーの回動動作復帰側への付勢手段とに兼用させたことを特徴としてなるプッシュロック式カードコネクタにある。
【００１９】
請求項２に記載の発明の特徴は、請求項１の構成に加え、前記ハウジングの底面には、前記スライダーをガイドするスライダーガイド溝が備えられ、前記スライダーの底部には、前記スライダーガイド溝に嵌まり合ってガイドされるガイド部が備えられ、前記スライダーガイド溝は、互いに平行な一対の立ち上り壁にて構成され、前記スライダーの前記待機位置に対応する部分に一方の前記ガイド突条が切り欠かれた形状の欠落部を設けることにより遊び空間が形成され、該スライダーが前記待機位置にあるときは、前記遊び空間側にスライダーが移動可能として前記カード挿抜によって押されることによる係合凹凸部が外れる方向の回動がなされるようにし、該待機位置から所定長さ押し込まれた位置では、該スライダー底部のガイド部が前記ガイド溝に規制されて横方向の移動が阻止されることにより回動不能となるようにしたことにある。
【００２０】
請求項３に記載の発明の特徴は、請求項１又は２の何れか１の請求項の構成に加え、前記バネアームは、つる巻きバネの一端側を直線状に延長した部分をもって構成され、該つる巻きバネをその一端側の線状バネ部を除いた部分を前記スライダーに固定し、プッシュオン・プッシュオフ機構を構成するピンガイドを前記ハウジングの底面上に備えたことにある。
【００２１】
請求項４に記載の発明の特徴は、請求項１〜３の何れか１の請求項の構成に加え、前記プッシュオン・プッシュオフ機構は、前記ハウジング又はスライダーの何れか一方側にピンガイドを、他方側にガイドピンを備え、前記バネアームは、前記ガイドピンの側面によって前記ピンガイドを構成している立上り壁面からなる摺接面を押圧する方向に付勢するように設置し、前記ピンガイドには、前記ガイドピンが、前記スライダーの押し込み方向の動作時に摺動する往路ガイド部と、同復帰動作時に摺動する復路ガイド部とが備えられ、
前記往路ガイド部と復路ガイド部との一方の端部間には、バネアームによる付勢力に抗して一方側から他方側にガイドピンが通過した後は逆方向には戻らない逆戻り防止機構を備えることによって前記スライダーの押し込み・復帰動作によってガイドピンがピンガイドに沿って一方向に循環するようにし、該往路ガイド部の途中には、前記復帰バネの付勢力に抗してガイドピンが係止されるスライダー戻り止め用のガイドピン係合部を備えていることにある。
【００２２】
請求項５に記載の発明の特徴は、請求項４の構成に加え、前記逆戻り防止機構は、前記往路ガイド部と復路ガイド部との境界部分において、前記ガイドピン先端面が向き合う底面に前記ガイドピンの進行方向側を低くした逆戻り防止用の段差と、前記ガイドピンを該段差位置で、その先端が該段差の高い側より低い高さに付勢する下向き付勢手段をもって構成している請求項４に記載のプッシュロック式メモリーカードコネクタ。
【００２３】
請求項６に記載の発明の特徴は、請求項４の構成に加え、前記逆戻り防止機構は、前記ガイドピンの進行方向側にのみ開くフラップ弁式の扉をもって構成したことにある。
【発明の効果】
【００２４】
本発明に係るプッシュロック式カードコネクタは、スライダーとピンガイド及び該溝内を摺動するガイドピンとからなるプッシュオン・プッシュオフ機構を備え、前記スライダーの前記カード挿入空間側の縁部と前記カードのスライダー側縁とに、その相互間において凹凸の嵌め合い構造によって該カードと係合する係合凹凸部が備えられ、前記スライダーは、その押込動作前の待機位置で、前記カード挿抜によって押されることにより、前記係合凹凸部が外れる方向に回動自在であり、且つ前記カードとともに押し込まれた位置では前記回動が不能となって前記係合凹凸部が外れ止めされるようにし、前記プッシュオン・プッシュオフ機構を構成するガイドピンを、前記スライダーの出入動作方向と交差し、前記係合凹凸部の外れ止め方向とは逆の方向に付勢するバネアームの先端に一体に備え、該バネアームを前記ガイドピンに対するプッシュオン・プッシュオフ機構を構成するための付勢手段と前記スライダーの回動動作復帰側への付勢手段、即ちカードハーフロックのためのスプリングとに兼用させたことにより、従来に比べて部品点数が少なくなるとともに、ガイドピンの組み立てのための作業が容易となり、コストを削減できる。
【００２５】
また、本発明では、前記ハウジングの底面には、前記スライダーをガイドするスライダーガイド溝が備えられ、前記スライダーの底部には、前記スライダーガイド溝に嵌まり合ってガイドされるガイド部が備えられ、前記スライダーガイド溝は、互いに平行な一対の立ち上り壁にて構成され、前記スライダーの前記待機位置に対応する部分に一方の前記ガイド突条が切り欠かれた形状の欠落部を設けることにより遊び空間が形成され、該スライダーが前記待機位置にあるときは、前記遊び空間側にスライダーが移動可能として前記カード挿抜によって押されることによる係合凹凸部が外れる方向の回動がなされるようにし、該待機位置から所定長さ押し込まれた位置では、該スライダー底部のガイド部が前記ガイド溝に規制されて横方向の移動が阻止されることにより回動不能となるようにしたことにより、より簡単な構造でカードのハーフロック・完全ロックの機構が得られる。
【００２６】
更に、本発明では、前記バネアームは、つる巻きバネの一端側を直線状に延長した部分をもって構成され、該つる巻きバネをその一端側の線状バネ部を除いた部分を前記スライダーに固定し、プッシュオン・プッシュオフ機構を構成するピンガイドを前記ハウジングの底面上に備えたことにより、バネ及びガイドピンが１部品として形成でき、部品数が少なくなるとともに、１部品としての形状が大きくなり、製造、自動組立てが容易となる。
【００２７】
本発明では、前記プッシュオン・プッシュオフ機構は、前記ハウジング又はスライダーの何れか一方側にピンガイドを、他方側にガイドピンを備え、前記バネアームは、前記ガイドピンの側面によって前記ピンガイドを構成している立上り壁面からなる摺接面を押圧する方向に付勢するように設置し、前記ピンガイドには、前記ガイドピンが、前記スライダーの押し込み方向の動作時に摺動する往路ガイド部と、同復帰動作時に摺動する復路ガイド部とが備えられ、前記往路ガイド部と復路ガイド部との一方の端部間には、バネアームによる付勢力に抗して一方側から他方側にガイドピンが通過した後は逆方向には戻らない逆戻り防止機構を備えることによって前記スライダーの押し込み・復帰動作によってガイドピンがピンガイドに沿って一方向に循環するようにし、該往路ガイド部の途中には、前記復帰バネの付勢力に抗してガイドピンが係止されるスライダー戻り止め用のガイドピン係合部を備えて構成されていることにより、ガイドピンの側面がピンガイドを構成している立上り摺接面を押圧しつつ移動するため、従来のハートカム及びピンガイドの底面の段差を利用したものに比べ、ガイドピン摺接部分の磨耗が少なくなり、小型化した際にも耐久性が維持できる。
【００２８】
本発明では、前記逆戻り防止機構を、前記往路ガイド部と復路ガイド部との境界部分において、前記ガイドピン先端面が向き合う底面に前記ガイドピンの進行方向側を低くした逆戻り防止用の段差と、前記ガイドピンを該段差位置で、その先端が該段差の高い側より低い高さに付勢する下向き付勢手段をもって構成していること、また、前記ガイドピンの進行方向側にのみ開くフラップ弁式の扉をもって構成することにより、単純な構造で動作が確実なピンガイドが構成できる。
【００２９】
本発明では、前記バネアームは、つる巻きバネの一端側を直線状に延長した部分をもって構成され、該つる巻きバネをその一端側の線状バネ部を除いた部分を前記スライダーに固定し、プッシュオン・プッシュオフ機構を構成するピンガイドを前記ハウジングの底面上に備えたことにより、小型化した際の狭いスペースを有効に使用することができる。
【発明を実施するための最良の形態】
【００３０】
以下、本発明に係るプッシュロック式カードコネクタを実施するための最良の形態を、図面に示す実施例を参照して詳細に説明する。
【００３１】
図１乃至図６は本発明に係るプッシュロック式カードコネクタの一実施例を示したものである。本例のプッシュロック式カードコネクタでは、ハウジング１０と、該ハウジング１０のカード挿入空間１１に挿入されるカードＡと、ハウジング１０内で挿入・排出方向に往復スライドするスライダー１３と、スライダー１３をカードＡの排出方向に付勢させる復帰バネ１４と、スライダー１３をカードＡと共に押し込むことにより、その所定の押し込み位置でスライダー１３を戻り止めし、再度の押し込み動作によって戻り止めを解除するためのピンガイド１５及び該ピンガイド１５の摺接面を摺動するガイドピン１６とからなるプッシュオン・プッシュオフ機構とを備えている。
【００３２】
ハウジング１０は、合成樹脂材によってモールド成型されたハウジング本体１０Ａとその上面に嵌め合わせた金属材料によりプレス成型されたシールドカバー１０Ｂとから構成されている。
【００３３】
スライダー１３は、その本体部２０の底部に、両側面が平行な内側（カード挿入空間中央側、以下同じ）及び外側（ハウジング側縁側、以下同じ）スライド面２１ａ，２１ｂを有するガイド部２１（図２に示す）が突設され、これがハウジング底面から立ち上げた１対の平行な内側及び外側のガイド突条２２ａ，２２ｂ間のスライダーガイド溝２２内に嵌まり合ってスライダー１３の向き及びスライド方向が規制されるようになっている。
【００３４】
スライダー１３の本体部２０の先端部外側に前記外側ガイド突条２２ｂの上を跨ぐ配置に復帰バネ受部２３が一体に突設されており、この復帰バネ受部２３と、ハウジング１０の外壁を構成する奥部立上り壁１０Ａａとの間にコイルスプリングからなる復帰バネ１４が蓄勢された状態で介在され、これによってスライダー１３は常時、ハウジング１０の前端側（カード挿入空間開口部側の端部側、以下同じ）位置側に付勢されている。尚、図中１４ａ，１４ｂは復帰バネ端部嵌合突起である。
【００３５】
ハウジング底面には、その前端にスライダーストッパー２４が突設され、スライダー１３の本体部２０の基端、即ち戻り方向側端部がこのスライダーストッパー２４に当接する位置を待機位置とし、カードが挿入されない時には、この復帰位置に戻るように前記復帰バネ１４による付勢がなされている。
【００３６】
スライダーの本体部２０の先端、即ちスライダーの押し込み方向側端部には、前記内側ガイド突条２２ａの上側を跨ぎ、カード挿入空間内に突出させた逆Ｌ字状配置のカードストッパー部２５が一体に突設され、カード挿入空間の開口部より挿入されるカードの先端が、このカードストッパー部２５に当接されるようになっている。
【００３７】
更に、スライダーの本体部２０の内側側面には、前記内側ガイド突条２２ａの上側を跨ぎ、カード挿入空間の側縁部に突出するカード係止爪２６ａが一体に突設されている。このカード係止爪２６ａと、後述するカードＡの側縁部の凹部２６ｂとによって凹凸の嵌め合い構造を構成する係合凹凸を構成している。
【００３８】
スライダー１３は、カード係止爪２６ａがカード挿入空間１１内に突出する側に後述するバネアーム４０ｂによって水平内側方向に付勢されている。即ち、該バネアーム４０ｂの弾性によって、ガイド部２１の内側スライド面２１ａが、内側ガイド突条２２ａに摺接する向きに付勢されている。
【００３９】
前記両ガイド突条２２ａ，２２ｂの内、内側ガイド突条２２ａは、スライダーのガイド部２１の、押し込み・戻り方向動作の移動長さの全域に設けられている。これに対し、他方の外側ガイド突条２２ｂの基端、即ちハウジングのカード挿入空間開口部側の端部と、スライダーストッパー２４との間には、内側のガイド突条２２ａよりやや短い長さの欠落部が形成されて、その外側が遊び空間２７となっている。
スライダー１３が待機位置、即ち復帰バネによって最も戻り方向側に移動された位置にあるにあるときは、ガイド部２１の外側スライド面２１ｂが、欠落部２７位置にあるため、カードＡの挿抜によってカード係止爪２６ａが外側横方向、即ち遊び空間２７側に押されることにより、ガイド部２１の外側スライド面２１ａの先端部分が外側ガイド突条２２ｂの基端側に当接し、その当接位置を回動中心ｏとしてスライダー１３が欠落部２７側に回動できるようになっている（図４、図５に示す）。
【００４０】
これによってカード係止爪２６ａがカード挿入空間１１から外側に退避する長さだけ水平方向外側に移動できるようになっている。そして、スライダー１３が待機位置から押し込まれることにより、内側、外側のスライド面２１ａ，２１ｂが両ガイド突条２２ａ，２２ｂに規制され、カード係止爪２６ａが退避不能となるようになっている。
【００４１】
ガイドピン１６は、スライダー１３に支持された線状バネにて作られた、つる巻きバネ４０の一端側のバネアーム４０ｂの自由端側を下向きに折り曲げることによって構成され、その先端がハウジング底面に面してピンガイド１５内に挿入されている。
【００４２】
つる巻きバネ４０は、プッシュオン・プッシュオフ機構を構成するための付勢手段と前記スライダーの回動動作復帰側への付勢手段とを兼用している。このつる巻バネ４０は、コイル状のつる巻部４０ａと、その一端側を直線状に延長させたバネアーム４０ｂ及び同他端側を直線状に延長した固定アーム４０ｃとから構成されており、つる巻部４０ｂをスライダー１３の上面に立ち上げた立て向きの支持柱１３ａに巻きつけられた状態に装着し、固定アーム４０ｃをスライダー上面に該スライダーの押し込み・戻り方向動作方向に向けて形成した固定溝１３ｂに圧入することによって固定されている。この固定溝１３ｂの内側には互い違いに固定アーム挟持用の突起１３ｃが設けられている。
【００４３】
バネアーム４０ｂは、固定アーム４０ｃからつる巻部４０ｂを介してＵ字状に折り返した向きとなっており、両アーム４０ｂ，４０ｃの先端が開く方向の付勢力が働くように蓄勢されている。これによってバネアーム４０ｂの先端をスライダー１３の押し込み・戻り方向動作方向に交差する水平方向側、即ちバネアーム４０ｂの先端のガイドピン１６がピンガイド１５を構成している前記往路及び復路ガイド部３０，３１を水平に横切る外側の向きに付勢させている。この付勢力によって、ガイドピン１６の側面をピンガイド１５に対して圧接させるとともに、その反力によってスライダー１３を横向きに付勢している。
【００４４】
往路ガイド部３０及び復路ガイド部３１は、スライダー１３の前記押し込み・戻り方向側に向けて設けられている。この両ガイド部３０，３１はハウジング底面１０ａより立ち上がらせて形成した立上り壁によって構成され、その立上り壁面がガイドピン摺接面を構成している。そしてガイドピン１６の側面が、バネアーム４０ａの付勢力によって、前記摺接面に圧接されるようになっている。
【００４５】
また、バネアーム４０ｂの先端のガイドピン１６が往路及び復路ガイド部３０，３１に当接することにより発生する反力により、スライダー１３の内側スライド面２１ａが、内側ガイド突条２２ａに圧接する向きの付勢力が与えられるようになっている。
【００４６】
プッシュオン・プッシュオフ機構を構成するピンガイド１５は、外側ガイド突条２２ｂの外側のハウジング底面１０ａに上向きに設置され、スライダー１３の押し込み方向側動作時にガイドピン１６が摺動される往路ガイド部３０と、スライダー１３の排出方向側動作時にガイドピン１６が摺動される復路ガイド部３１とからなり、ガイドピン１６は、この立上り壁面からなるガイド部３０，３１に摺接し、両ガイド部の両端部において一方側から他方側に移動するようにガイドされて両ガイド部３０，３１を循環するように構造になっている。
【００４７】
この往路ガイド部３０及び復路ガイド部３１からなるピンガイド１５には、スライダー１３が待機位置にあるときにガイドピン１６が位置している待機時ガイドピン停止位置ａ（図１、図６に示す）、スライダー１３が押し込まれた位置で戻り止めされている状態にあるとき、即ちガイドピン１６ガイドピン係合部４１に係合される戻り止め時ガイドピン停止位置ｃ、スライダー１３を前記戻り止め状態位置から押し込んで、ガイドピン１６が逆戻り防止機構を通過した後に停止する最押し込み時ガイドピン停止位置ｄがあり、スライダー１３が最も押し込まれた状態から押込操作を解除することによって、最押し込み時ガイドピン停止位置ｄのガイドピン１６が復路ガイド部３１を通って戻され、往路ガイド部３０内に入って待機時ガイドピン停止位置ａに戻るようになっている。
【００４８】
往路ガイド部３０には、スライダー１３の押し込み方向側の端部のやや手前位置、ガイドピン１６がバネアーム４０ｂの付勢力によって押し込まれることによりスライダー１３をその位置で戻り止めする段状のガイドピン係合段部４１が形成されており、その表面にガイドピン係合凹部４１ａが形成されている。このガイドピン係合段部４１に至る手前の位置に傾斜部４２が形成されており、この傾斜部４２に沿ってバネアーム４０ｂの付勢力に抗してガイドピン１６が内側にガイドされつつ押し込まれ、ガイドピン係合段部４１位置より奥側まで押し込まれるとバネアーム４０ｂの付勢力によってガイドピン係合段部４１の奥側に移動されるようになっている。
【００４９】
このガイドピン係合段部４１の先端部奥側には衝立壁４７が該係合段部との間にガイドピン１６の太さよりやや大きい間隔を隔てて備えられ、スライダー１３とともに前記傾斜部４２に沿って押し込まれたガイドピン１６は、この衝立壁４７に突き当たってそれ以上の押し込みが阻止される状態のプッシュオン動作末端時ガイドピン位置ｂに至る。然る後、スライダー１３に対する押し込み力を解除することにより、ガイドピン１６が係合段部４１の基端側、即ちバネアーム４０ｂによる付勢方向側の端部側に誘導されて、該係合段部４１に形成したガイドピン係合凹部４１ａ内に入り込み、スライダー１３の戻り動作が阻止されるようになっている。
【００５０】
ガイドピン係合凹部４１ａの更にピン往動作側に復路ガイド部側に徐々に近づく誘導部４３が形成され、その更に往動作側に復路ガイド部３１が繋がっている。
【００５１】
この往路ガイド部３０の先端で復路ガイド部３１に繋がる位置には、逆戻り防止機構が備えられている。この逆戻り防止機構は、往路ガイド部３０側のガイドピン通過位置底面を高くした段部４５と、ガイドピン１６の先端をこの段部４５において、その高い側、即ち往路ガイド部３０の底面の最高位より低い高さに付勢する付勢手段であるバネ材４６とによって構成されている。この実施例では前記誘導部４３のガイドピン先端面が向き合う底面を徐々に高くした傾斜面４３ａとなし、これによって段部４５の段差を形成している。
【００５２】
また、バネ材４６は、図２に示すようにハウジング１０を構成しているシールドカバー１０ＢにＵ字状の切り込みを入れることにより、シールドカバー１０Ｂに一体に形成している。尚、このバネ材４６は、ガイドピン１６と一体のバネアーム４０ｂの弾性を利用してもよい。
【００５３】
そして、ガイドピン１６が往路ガイド部３０側から復路ガイド部３１に行く際に、ガイドピン１６の先端が誘導部４３のガイドピン先端面が向き合う底面である傾斜面４３ａを押しながら上昇しつつ移動し、段部４５にて復路ガイド部３１側の低い面に落ち込むことにより、段部４５の往路ガイド部３０側の立上り壁部４５ａにガイドピン１６の側面が当たり、往路ガイド部３０内への戻りが阻止されるようになっている。
【００５４】
また、復路ガイド部３１のピン復動作終端側（図１における復路ガイド部３１の下端）は往路ガイド部３０より短く途切れており、これによってガイドピン１６が復路ガイド部３１に圧接されて復動作され、その終端部で復路ガイド部３１から外れるとバネアーム４０ｂの付勢力によって往路ガイド部３０に当接されるようになっている。
【００５５】
次に、このようなプッシュロック式カードコネクタでの、プッシュオン・プッシュオフ機構を構成するピンガイド１５におけるガイドピン１６の動作を、図１及び図３〜図６を参照して、カードやスライダーの動作と共に説明する。
【００５６】
最初、ガイドピン１６は往路ガイド部３０に圧接されて往動作始端部の待機時ガイドピン停止位置ａに位置している（図１の状態）。この位置では、スライダー１３は復帰バネ１４の付勢で待機位置にあり、スライダー本体部２０の基端がハウジング本体１０Ａのスライダーストッパー２４に当接して待機している。
【００５７】
ハウジング１０のカード挿入空間１１にカードＡを挿入すると、該カードＡの側面でスライダー１３のカード係止爪２６ａが図３で右方向に押される。これにより図４に示すように、スライダー１３は、外側ガイド突条２２ｂの基端を回動中心として外側（図において反時計方向）に回動され、カード係止爪２６ａが退避してカードＡが差し込まれる。この時、バネアーム４０ｂが蓄勢方向に回動される。
【００５８】
このようにしてカードＡを差し込み、該カードＡの側面の凹部２６ｂがカード係止爪２６ａ位置に至ると、スライダー１３は、そのカード係止爪２６ａがカード側縁を押圧する側のバネアーム４０ｂによって付勢されているため、凹部２６ｂ内にカード係止爪２６ａが入り込んで、スライダー１３はもとの待機位置にあった角度に戻り、該カードＡがスライダー１３に仮止めされ、所謂ハーフロック状態となる。この状態では、カードＡの抜き取りも可能である。
【００５９】
この時、カードＡの先端がスライダー１３のカードストッパー部２５に当接する。また、この状態でガイドピン１６は、バネアーム４０の付勢力により、ガイドピン１６は往路ガイド部３０に圧接されて図１中の待機時ガイドピン停止位置ａにある。
【００６０】
この状態でカードＡが更に押し込まれると、カードストッパー部２５が押され、カードＡと共にスライダー１３がスライド移動を始める。スライダー１３が待機位置から押し込まれると内外側のガイド突条２２ａ，２２ｂ間にガイド部２１が更に押し込まれ、これによってスライダー１３は回動不能な状態となり、カードＡはカードストッパー部２５とカード係止爪２６ａとによってスライダーに対する相対移動が阻止された状態となる。
【００６１】
この状態で更にスライダー１３が押し込まれると、ガイドピン１６は、往路ガイド部３０に圧接されて移動し、ガイドピン係合部４１に至る手前の傾斜部４２位置をとおり、ガイドピン係合段部４１より奥側に至ると、衝立壁４７に突き当たってそれ以上の押し込みが阻止される状態のプッシュオン動作末端時ガイドピン位置ｂに至る。然る後、スライダー１３に対する押し込み力を解除することにより、ガイドピン１６が係合段部４１の基端側、即ちバネアーム４０ｂによる付勢方向側の端部側に誘導されて、該係合段部４１に形成したガイドピン係合凹部４１ａ内に入り込み停止する。
【００６２】
この状態でカードＡの押し込みを停止すると、復帰バネ１４によってスライダー１３が戻り方向に移動され、これによってガイドピン１６がガイドピン係合段部４１の奥側面の凹部４１ａに嵌まり合った戻り止め時ガイドピン停止位置ｃに至る。これによってガイドピン１６の戻り動作が阻止され、カードＡが所定の押し込み位置においてカードＡの電極（図示せず）とカードコネクタのコンタクト（図示せず）とが接触した状態で停止する。
【００６３】
この状態からカードＡを再度押し込み方向に動作させることにより、ガイドピン１６は、往路側ガイド部３０の誘導部４３を押圧しつつ復路ガイド部３１側に移動し、段部４５を通過して復路ガイド部３１に入り、スライダー１３が最も押し込まれた状態となって停止するとガイドピン１３は、復路ガイド部３１の戻り動作始端部、即ち最押し込み時ガイドピン停止位置ｄにて停止する。ガイドピン１６は、一旦復路ガイド部３１に入った後は往路ガイド部３０側への戻りが阻止される。
【００６４】
次いでカードＡに対する押し込み操作力を解除することによりスライダー１３は復帰バネ１４に押されてもとの待機位置に戻る。この時ガイドピン１６は復路ガイド部３１に圧接されて摺動し、待機位置やや手前で、復路ガイド部３１から外れるとバネアーム４０の付勢力によって往路ガイド部３０側に移動し、元の待機位置である待機時ガイドピン停止位置ａに戻る。
【００６５】
スライダー１３が待機位置に戻ることにより、遊び空間側へのスライダー１３の回動が可能な状態となり、カードＡを引き抜くことにより、カード係止爪２６ａがカードの凹部２６ｂから外れ、カードが抜きとられる。
【００６６】
上記実施例では、往路ガイド部３０の先端側のピン通過位置底面に傾斜面４３ａを設けたが、本発明はこれに限定されるものではなく、復路ガイド部３１のピン通過位置底面を往路ガイド部３０側より低くすることによって逆戻り防止用の段部４５を形成してもよい。このようにすると、 復路ガイド部３１の長さはある程度長く、その底面を徐々に高くして平面に戻す構造にすれば、その傾斜が急なものよりもガイドピン１６の先端で削られるのを防止することができる。更に、前記底面とガイドピン１６の先端が摺接するので、カードの飛び出しが防止される。
更に、押し下げ用のバネ材４６によって下向きに付勢して復路ガイド部３１にガイドピン１６を落とし込むようにしているが、この他、ガイドピン１６が逆戻り防止用の段部４５の手前の傾斜によって弾性的に持ち上げられた後に段部４５を通過することにより復路ガイド部３１に落ち込むように付勢されるものであれば良く、前記押し下げ用のバネ材４６の代わりにガイドピン１６を支持しているバネアームの弾性を利用してもよい。この場合、ガイドピン１６がフリーな状態でその先端を復路ガイド部３１のピン通過位置底面に接触しない位置であって段部４５に臨んだ往路ガイド部３０より低い位置に弾性的に保持されるようにすることもできる。
【００６７】
上述した実施例では、逆戻り防止機構としてガイドピン先端面が向き合う底面の段差を利用したものを示したが、このほか、図７、図８に示す第二実施例のように逆止め扉５０を使用したものであってもよい。この例では、往路ガイド部３０の先端で復路ガイド部３１に繋がる位置には、逆戻り防止機構である逆止め扉５０が設置されている。この逆止め扉５０は、板バネをもって構成されたフラップ弁状をなしている。即ち、往路ガイド部３０と復路ガイド部３１とが繋がる位置にはガイドピン押込方向側とは反対側の縁部に逆止め扉５０の一端が埋設されて固定され、該逆止め扉５０の他端側が、前記開口部のガイドピン押込方向側の縁部に、復路ガイド部３１側から窪ませた形状の段部５１に当接された構造となっている。
【００６８】
そして、ガイドピン１６が往路ガイド部３０側から復路ガイド部３１に行く際には、ガイドピン１６が逆止め扉５０を押すことによって該扉が開かれてガイドピン１６は復路ガイド部３１内へ移動し、逆止め扉５０位置を通過することによって、板バネの弾性によって逆止め扉５０が閉じられ、ガイドピン１６が往路ガイド部３０内への戻りが阻止されるようになっている。
【００６９】
更に、ピンガイドは上述のほか、図９、図１０に示す如き形状であってもよい。この例では、往路ガイド部３０の傾斜部４２の奥側に、前述した衝突壁として、下向きの半円形状をした折り返し誘導ガイド部５５が形成されている。この折り返し誘導ガイド部５５は、平面視で半円形状の内側と外側の内壁面５５ｃから構成されており、ピン入り口５５ａが傾斜部４２の奥側端部側にあり、ピン出口５５ｂがガイドピン係合段部４１の凹部４１ａ内に開口されている。凹部４１ａには、折り返し誘導ガイド部５５のピン出口５５ｂより外側に復路ガイド部３１に通じる誘導部４３が連通されている。
【００７０】
このピンガイドでは、折り返し誘導ガイド部５５の最奥部がガイドピン１６のプッシュオン動作末端時ガイドピン位置ｂとなっている。即ち、ガイドピン３１は、待機時ガイドピン停止位置ａから奥側に移動し、傾斜部４２に沿って奥側に移動して折り返し誘導ガイド部５５に入る。この時、折り返し誘導ガイド部５５の内側の内周面５５ｃの最奥部がピン出口５５ｂの開口部より奥に位置しているため、折り返し誘導ガイド部５５内から出ることなく、折り返し誘導ガイド部５５の最奥部がプッシュオン動作末端時ガイドピン位置ｂとなってこれに押し込み方向側の移動が阻止され、これによってスライダー１３はそれ以上の押し込みが不能な状態となって停止する。
【００７１】
この状態からスライダー１３の押し込み方向の動作力を解除すると、スライダー１３は復帰バネ１４によって押し戻し方向に動作される。この時ガイドピン１３はバネアーム４０によって外側に付勢されているため、折り返し誘導ガイド部５５の内周面５５ｃに沿ってピン出口５５ｂ側に移動し、凹部４１ａ内に係止される。
【００７２】
また、この例では、復路ガイド部３１を傾斜部３１ａと直線状部３１ｂとをもって構成するとともに往路ガイド部３０の最奥部の誘導部４３を直線状に形成しており、この傾斜部３１ａと誘導部４３の交差位置に図１に示す実施例と同様に段部４５を使用した逆戻り防止機構が備えられている。スライダー１３が最も押し込まれたときのガイドピン１３の最押し込み時ガイドピン停止位置ｄは、傾斜部３１ａの最奥部となる。尚、逆戻り防止機構は、図８の第二実施例に使用しているすフラップ弁形式のものであってもよい。
【００７３】
上述した実施例では、ハウジング本体１０Ａ側にピンガイド１５を設け、ガイドピン１６をスライダー１３側に設けた場合を示しているが、図１１に示すようにピンガイド１５をスライダー１３側に設けても良い。この場合、前述とは逆に、待機時ガイドピン停止位置ａがスライダー１３先端側に、最押し込み時ガイドピン停止位置ｄがスライダー１３の基端側に位置することとなる。また、逆戻り防止機構、この例では段部４５は、待機時ガイドピン停止位置ａの図において下側の位置にあって、往路ガイド部３０から復路ガイド部３１側へのガイドピン移動が阻止される配置となっている。
【００７４】
更に、ピンガイド１５は、前述したように平板状部分の表面に突条を形成し、その側面の立上り壁をピン摺接面として構成するほか、図１１に示すように平板状部分に凹溝を形成し、その凹溝内の一方側の立上り壁をピン摺接面として構成しても良い。
【００７５】
尚、図１０において前述した実施例と同一機能部分には同一符号を付して重複説明を省略する。
【図面の簡単な説明】
【００７６】
【図１】本発明に係るプッシュロック式カードコネクタの一実施例でハウジングの天板を外して内部構造を開示した状態の平面図である。
【図２】本実施例のプッシュロック式カードコネクタで用いているスライダー及びハウジングを示す分解斜視図である。
【図３】本実施例における逆戻り防止機構部分の断面図である。
【図４】本実施例のプッシュロック式カードコネクタでハウジングの天板を外して内部構造を開示した状態でのカード差込み時の動作状態を示す平面図である。
【図５】本実施例のプッシュロック式カードコネクタでハウジングの天板を外して内部構造を開示した状態でスライダー戻り動作開始直後のガイドピン逆戻り防止時の動作状態及びガイドピンの動作過程を示す平面図である。
【図６】本実施例のプッシュロック式カードコネクタのスライダー回動中心部分を示す部分断面図である。
【図７】本発明の第二実施例のプッシュロック式カードコネクタのスライダー及びハウジングを示す分解斜視図である。
【図８】第二実施例のプッシュロック式カードコネクタでハウジングの天板を外して内部構造を開示した状態でスライダー戻り動作開始直後のガイドピン逆戻り防止時の動作状態を示す平面図である。
【図９】本発明の第三実施例のプッシュロック式メモリーカードコネクタにおけるスライダーが押し込み最終端部にある状態及びガイドピンの動作過程を示す平面図である。
【図１０】図９の部分拡大平面図である。
【図１１】本発明の第四実施例のプッシュロック式メモリーカードコネクタにおけるスライダーが待機位置にある状態及びガイドピンの動作過程を示す平面図である。
【図１２】従来のプッシュロック式カードコネクタの一例のハウジングの天板を外して内部構造を開示した状態の平面図である。
【図１３】図１１に示す同プッシュロック式メモリーカードコネクタの正面図である。
【図１４】プッシュロック式メモリーカードコネクタに使用しているガイドピンを示す斜視図である。
【符号の説明】
【００７７】
Ａ  カード
ａ〜ｄ  ガイドピン停止位置
ｏ  回動中心
１０Ａ  ハウジング本体
１０Ａａ  奥部立上り壁--
１０Ｂ  シールドカバー
１０ａ  底面
１０ｂ  押し下げ用のバネ部
１１  カード挿入空間
１３  スライダー
１３ａ  支持柱
１３ｂ  固定溝
１４  復帰バネ
１４ａ，１４ｂ  復帰バネ端部勘合突起
１５  ピンガイド
１６  ガイドピン
２０  本体部
２１  ガイド部
２１ａ  内側スライド面
２１ｂ  外側スライド面
２２  スライダーガイド溝
２２ａ  内側ガイド突条
２２ｂ  外側ガイド突条
２３  復帰バネ受部
２４  スライダーストッパー
２５  カードストッパー部
２６ａ  カード係止爪
２６ｂ  凹部
２７  欠落部
３０  往路ガイド部
３１  往路ガイド部
３１ａ  傾斜部
３１ｂ  直線状部
４０  つる巻きバネ
４０ａ  つる巻部
４０ｂ  バネアーム
４０ｃ  固定アーム
４１  ガイドピン係合段部
４１ａ  ガイドピン係合凹部
４２  傾斜部
４３  誘導部
４３ａ  傾斜面
４５  段部
４６  バネ材
４７  衝立壁
５０  逆止め扉
５１  段部
５５  折り返し誘導ガイド部
５５ａ  ピン入り口
５５ｂ  ピン出口
５５ｃ  内周面
【図１】
0005088651.tif 000002
【図２】
0005088651.tif 000003
【図３】
0005088651.tif 000004
【図４】
0005088651.tif 000005
【図５】
0005088651.tif 000006
【図６】
0005088651.tif 000007
【図７】
0005088651.tif 000008
【図８】
0005088651.tif 000009
【図９】
0005088651.tif 000010
【図１０】
0005088651.tif 000011
【図１１】
0005088651.tif 000012
【図１２】
0005088651.tif 000013
【図１３】
0005088651.tif 000014
【図１４】
0005088651.tif 000015